(57)【要約】【課題】軸受の組立や分解に支障がなく、取り扱いが容易な保持器案内部材の提供。【解決手段】保持器案内部材７は、円板部７ａと円板部７ａの内径部から保持器５側に延びる凸部７ｂから構成されている。凸部７ｂは、保持器５の小円環部５ａに設けられた段部５ｄと、半径方向に、全周にわたって係合し、且つ、摺動自在となっている。保持器案内部材７の円板部７ａの外径面７ｃは、ハウジング６の内径面６ａにより、径方向の動きを規制されている。保持器案内部材７の円板部７ａは、ハウジング６の段部６ｂと外輪３の側面３ｂにより軸方向の動きを規制されている。凸部７ｂは、段部（係合部）５ｄと摺動し、保持器の半径方向の運動を案内する。保持器案内部材７の円板部７ａの側面は、保持器５の小円環部５ａの側面５ｅと摺接し、保持器の軸方向の運動を案内する。【選択図】図１
2015224768.tif 000002
【特許請求の範囲】
【請求項１】
内輪と外輪の軌道面間に配列された複数の転動体を保持器で保持する転がり軸受において、
ハウジングに案内される保持器案内部材の凸部を前記保持器に係合かつ摺動自在とすることにより、前記保持器を径方向および軸方向に案内することを特徴とする転がり軸受。
【発明の詳細な説明】
【技術分野】
【０００１】
この発明は、転がり軸受に関するもので、特にその保持器の案内に関する。
【背景技術】
【０００２】
内輪と外輪の軌道面間に複数の円錐ころを円周方向に配列した円錐ころ軸受では、配列した各円錐ころを、円錐ころの小端面側と大端面側でそれぞれ円環状に連なる小円環部と大円環部を複数の柱部で連結して、各円錐ころを収納するポケットを形成した円錐筒状の保持器で保持している。
この保持器が重力や遠心力等の影響により軸受の中心に対して偏心すると、円錐ころは保持器の動きに伴って円周方向に均等配置されていた状態が崩れて不等配置となるなり，このような状態のまま回転すると軸受の振動が大きくなる恐れがあった。また，保持器が偏心した結果、一部の円錐ころと強く接触するようになり、これによって、保持器に大きな荷重、応力が生じ、保持器が破損する恐れがあった。
【０００３】
この対策として従来は、円錐ころ軸受の保持器には、鋼板等の金属板のプレス加工で形成したプレス保持器や、鋼や黄銅等の金属の切削加工で形成したもみ抜き保持器等が用いられており、これらの保持器は、ポケットを形成する柱部を円錐ころで案内するころ案内式のものが多い。一部には、小円環部から屈曲して突出する突出部を設け、この突出部を内輪の軌道面もしくは小鍔外周面、または外輪の軌道面で、ラジアル方向の案内をするようにした軌道輪案内式のものもある（例えば、特許文献１参照）。
また、円錐ころ軸受の保持器に、外輪の外径面、または外輪の外径面に外嵌されるハウジングの内径面で全周を案内されるラジアル方向の被案内部を設けたものもある（例えば、特許文献２参照）。
【先行技術文献】
【特許文献】
【０００４】
【特許文献１】特開２００４−２９３７３０号公報
【特許文献２】特開２００８−１９６５８２号公報
【発明の開示】
【発明が解決しようとする課題】
【０００５】
特許文献１に記載された軌道輪案内式のものは、円環部から突出させた突出部の先端に、内輪の軌道面もしくは小鍔外周面、または外輪の軌道面で案内される被案内面を設けているので、接触面積の小さい被案内面の接触面圧が高くなり、被案内面で摩耗や焼付きが生じやすい問題がある。
【０００６】
また、特許文献２に記載された保持器に、外輪の外径面、または外輪の外径面に外嵌されるハウジングで案内されるラジアル方向の被案内部を設けたものは、保持器の一部を外径側に延ばすことにより保持器が大型化する欠点があった。このため、組立にくく、分解しにくいという問題がある。
【０００７】
そこで、本発明の課題は、保持器案内部材を保持器とは別体に設けることにより、保持器を大型化することなく、組立や分解の支障がなく、軸受の取り扱いを容易し、且つ保持器案内部材の被案内面と案内面の接触面積、および保持器案内部材と保持器の接触面積を大きくし、これらに接触面で摩耗や焼付きが生じることがない転がり軸受を提供することである。
【課題を解決するための手段】
【０００８】
上記の課題を解決するために、本発明は、内輪と外輪の軌道面間に配列された複数の転動体を保持器で保持する転がり軸受において、ハウジングに案内される保持器案内部材の凸部を前記保持器に係合かつ摺動自在とすることにより、前記保持器を径方向および軸方向に案内する構成を採用した。
【発明の効果】
【０００９】
保持器とは別体の保持器案内部材を設け、この保持器案内部材を、外輪の外径面に外嵌されるハウジングに案内させるので、保持器を大型化することなく、組立や分解の支障がなく、軸受の取り扱いを容易し、且つ保持器案内部材の被案内面と案内面の接触面積を大きくでき、その結果、保持器案内部材の被案内面が摩耗や焼付きを生じることがない。
【図面の簡単な説明】
【００１０】
【図１】本発明の第一の実施形態に係る転がり軸受の断面図である。
【図２】本発明の第二の実施形態に係る転がり軸受の断面図である。
【発明を実施するための形態】
【００１１】
本発明に係る転がり軸受の実施形態について、図面に基づいて詳細に説明する。
【００１２】
以下、図１を参照して、本発明に係る第一の実施形態について説明する。
円錐ころ軸受１は、内輪２と外輪３の軌道面２ａ、３ａ間に配列された複数の円錐ころ４を、これらの小端面側と大端面側でそれぞれ円環状に連なる小円環部５ａと大円環部５ｂを複数の柱部５ｃで連結した保持器５で保持したものであり、外輪３の外径面に、ハウジング６が外嵌されるようになっている。内輪２の軌道面２ａの一方には、円錐ころ４の大端面を案内する大鍔２ｂが設けられている。また、内輪２の軌道面２ａの他方には、円錐ころ４の小端面を案内する小鍔２ｃが設けられている。
【００１３】
保持器案内部材７は、円板部７ａと円板部７ａの内径部から保持器５側に延びる凸部
７ｂから構成されている。凸部７ｂは、保持器５の小円環部５ａに設けられた段部（係合部）５ｄと、円錐ころ軸受１の半径方向に、全周にわたって係合し、且つ、摺動自在となっている。
【００１４】
保持器案内部材７の円板部７ａの外径面７ｃは、ハウジング６の内径面６ａにより、径方向の動きを規制されている。また、保持器案内部材７の円板部７ａは、ハウジング６の段部６ｂと外輪３の側面３ｂにより軸方向の動きを規制されている。
【００１５】
凸部７ｂは、段部（係合部）５ｄと摺動し、保持器の半径方向の運動を案内する。保持器案内部材７の円板部７ａの側面は、保持器５の小円環部５ａの側面５ｅと摺接し、保持器の軸方向の運動を案内する。
【００１６】
この構成により、保持器５を大型化することなく、保持器５を円滑に回転させることができ、組立や分解の支障がなく、軸受の取り扱いが容易となる。
【００１７】
以下、図２を参照して、本発明に係る第二の実施形態について説明する。
玉軸受１１は、内輪１２と外輪１３の軌道面１２ａ、１３ａ間に配列された複数の玉１４を、保持器１５で保持したものであり、外輪１３の外径面に、ハウジング１６が外嵌されるようになっている。
【００１８】
保持器案内部材１７は、円板部１７ａと円板部１７ａの内径部から保持器１５側に延びる凸部１７ｂから構成されている。凸部１７ｂは、保持器１５の側面に周方向にわたって設けられた凹部（係合部）１５ａと、玉軸受１１の半径方向および軸方向に、全周にわたって係合し、且つ、摺動自在となっている。
【００１９】
保持器案内部材１７の円板部１７ａの外径面１７ｃは、ハウジング１６の内径面１６ａにより、径方向の動きを規制されている。また、保持器案内部材１７の円板部１７ａは、ハウジング１６の段部１６ｂと外輪１３の側面１３ｂにより軸方向の動きを規制されている。
【００２０】
凸部１７ｂは、凹部（係合部）１５ａと摺動し、保持器１５の半径方向および軸方向の運動を案内する。
【００２１】
この構成により、保持器１５を大型化することなく、保持器１５を円滑に回転させることができ、組立や分解の支障がなく、軸受の取り扱いが容易となる。
【符号の説明】
【００２２】
１  円錐ころ軸受
２、１２  内輪
２ａ、３ａ、１２ａ、１３ａ  軌道面
３、１３  外輪
４  円錐ころ
５、１５  保持器
５ａ  小円環部
５ｂ  大円環部
５ｃ  柱部
５ｄ  段部
５ｅ  側面
６、１６  ハウジング
６ａ、１６ａ  内径面
６ｂ、１６ｂ  段部
７、１７  保持器案内部材
７ａ、１７ａ  円板部
７ｂ、１７ｂ  凸部
７ｃ、１７ｃ  外径面
１１  玉軸受
１４  玉
１５ａ  凹部
【図１】
2015224768.tif 000003
【図２】
2015224768.tif 000004